(57)【特許請求の範囲】
【請求項１】
光を供給する光源部と、
前記光源部からの光を、第１の振動方向の偏光光と、前記第１の振動方向に略直交する第２の振動方向の偏光光とに分離する偏光分離部と、
前記偏光分離部に備えられ、前記第１の振動方向の偏光光を透過し、前記第２の振動方向の偏光光を反射する第１反射型偏光板と、
前記第１反射型偏光板を透過した前記第１の振動方向の偏光光を反射する反射部と、
前記偏光分離部で分離された前記第２の振動方向の偏光光を前記第１の振動方向の偏光光に変換する偏光変換部と、を備える照明装置と、
前記照明装置からの前記第１の振動方向の偏光光を画像信号に応じて変調し、前記第２の振動方向の偏光光に変換する空間光変調装置と、
前記偏光変換部及び前記空間光変調装置を経た光が入射する位置に設けられ、前記第１の振動方向の偏光光を透過し、前記第２の振動方向の偏光光を反射する第２反射型偏光板と、
前記反射部及び前記空間光変調装置を経た光が入射する位置に設けられ、前記第１の振動方向の偏光光を透過し、前記第２の振動方向の偏光光を反射する第３反射型偏光板と、
を有し、
前記偏光分離部で分離された前記第１の振動方向の偏光光と、前記偏光変換部からの前記第１の振動方向の偏光光とは、前記空間光変調装置の入射面に対して互いに異なる方向から入射し、
前記第２反射型偏光板と第３反射型偏光板とは、前記空間光変調装置から出射される前記第２の振動方向の偏光光を特定の方向へ導き、前記空間光変調装置から出射される前記第１の振動方向の偏光光を前記特定の方向とは異なる他の方向へ導くことを特徴とするプロジェクタ。
【請求項２】
前記照明装置は、前記第１反射型偏光板で分離された前記第２の振動方向の偏光光を前記第１の振動方向の偏光光に変換する第１偏光変換部を備え、
前記第２反射型偏光板を反射した前記第２の振動方向の偏光光を前記第１の振動方向の偏光光に変換し、前記第３反射型偏光板へ入射させる第２偏光変換部を有することを特徴とする請求項１に記載のプロジェクタ。
【請求項３】
前記第１反射型偏光板と前記反射部とは、前記第１反射型偏光板の法線及び前記反射部の法線を含む平面において互いに異なる傾きをなすように配置されることを特徴とする請求項１または２に記載のプロジェクタ。
【請求項４】
前記第１反射型偏光板は、前記光源部の光軸に沿って進行する光の入射角が４５度より大きくなるように配置され、
前記反射部は、前記光源部の光軸に沿って進行する光の入射角が４５度より小さくなるように配置されることを特徴とする請求項３に記載のプロジェクタ。
【発明の詳細な説明】
【技術分野】
【０００１】
本発明は、照明装置及びプロジェクタ、特に、空間光変調装置と組み合わせて用いられ
る照明装置の技術に関する。
【背景技術】
【０００２】
プロジェクタの空間光変調装置として用いられる液晶表示装置は、入射光の偏光状態を
変換することで変調を行う。液晶表示装置を用いる場合、光源部からの光を特定の振動方
向の偏光光に変換して供給することで、光源部からの光を効率良く利用できる。光を特定
の振動方向の偏光光に変換して供給する技術は、例えば、特許文献１に提案されている。
【０００３】
【特許文献１】特開２００２−２４４２１１号公報
【発明の開示】
【発明が解決しようとする課題】
【０００４】
特許文献１に提案されている技術によると、光源部からの光を効率良く偏光変換するた
めには、偏光ビームスプリッタの入射面に光源部からの光を集光させる必要がある。光源
部の発光領域が小さいほど、偏光ビームスプリッタの入射面へ広い角度範囲で入射する光
を取り込むことを可能とし、光源部からの光を効率良く偏光ビームスプリッタへ入射させ
ることが可能となる。また、プロジェクタにより明るい画像を表示するためには、大きい
発光領域を備える光源部を用いることが考えられる。従来の技術の場合、光源部の発光領
域が大きくなるほど、光源部からの光を偏光ビームスプリッタへ効率良く入射させること
が困難となる。このため、従来の技術によると、照明光の偏光方向を揃えることによる照
明効率の低下を低減することが困難な場合があるという問題を生じる。本発明は、上述の
問題に鑑みてなされたものであり、照明光の偏光方向を揃えることによる照明効率の低下
を低減することが可能な照明装置、及びその照明装置を用いることで明るい画像を表示可
能なプロジェクタを提供することを目的とする。
【課題を解決するための手段】
【０００５】
上述した課題を解決し、目的を達成するために、本発明によれば、光を供給する光源部
と、光源部からの光を、第１の振動方向の偏光光と、第１の振動方向に略直交する第２の
振動方向の偏光光とに分離する偏光分離部と、偏光分離部で分離された第２の振動方向の
偏光光を第１の振動方向の偏光光に変換する偏光変換部と、を有し、偏光分離部で分離さ
れた第１の振動方向の偏光光と、偏光変換部からの第１の振動方向の偏光光とは、照明対
象の入射面に対して互いに異なる方向から入射することを特徴とする照明装置を提供する
ことができる。
【０００６】
偏光分離部で分離された偏光光と、偏光変換部からの偏光光とを互いに異なる方向、例
えば斜め２方向から照明対象へ入射させる構成とすることで、照明対象である空間光変調
装置へ第１の振動方向の偏光光を供給することができる。本発明によると、偏光分離部の
入射側にて光を集光させる必要が無いため、大きな発光領域を備える光源部を用いる場合
であっても、照明光の偏光方向を揃えることによる照明効率の低下を低減することが可能
となる。これにより、照明光の偏光方向を揃えることによる照明効率の低下を低減するこ
とが可能な照明装置を得られる。
【０００７】
また、本発明の好ましい態様としては、偏光分離部は、第１の振動方向の偏光光を透過
し、第２の振動方向の偏光光を反射する反射型偏光板を備え、反射型偏光板を透過した第
１の振動方向の偏光光を反射する反射部を有することが望ましい。反射型偏光板を透過し
た第１の振動方向の偏光光は、反射部で反射することにより、照明対象の方向へ進行する
。反射型偏光板で反射した第２の振動方向の偏光光は、偏光変換部で第１の振動方向の偏
光光に変換された後、照明対象の方向へ進行する。これにより、反射型偏光板で分離され
た第１の振動方向の偏光光と、偏光変換部からの第１の振動方向の偏光光とを照明対象へ
入射させることができる。
【０００８】
また、本発明の好ましい態様としては、反射型偏光板と反射部とは、反射型偏光板の法
線及び反射部の法線を含む平面にて互いに異なる傾きをなすように配置されることが望ま
しい。反射型偏光板と反射部とを互いに異なる傾きをなすように配置することで、反射型
偏光板で分離された第１の振動方向の偏光光と、偏光変換部からの第１の振動方向の偏光
光とを、互いに異なる方向から照明対象へ入射させることができる。
【０００９】
また、本発明の好ましい態様としては、反射型偏光板は、光源部の光軸に沿って進行す
る光の入射角が４５度より大きくなるように配置され、反射部は、光源部の光軸に沿って
進行する光の入射角が４５度より小さくなるように配置されることが望ましい。これによ
り、反射型偏光板で分離された第１の振動方向の偏光光と、偏光変換部からの第１の振動
方向の偏光光とを照明対象へ入射可能な構成とすることができる。
【００１０】
さらに、本発明によれば、光を供給する光源部と、光源部からの光を、第１の振動方向
の偏光光と、第１の振動方向に略直交する第２の振動方向の偏光光とに分離する偏光分離
部と、偏光分離部で分離された第２の振動方向の偏光光を第１の振動方向の偏光光に変換
する偏光変換部と、を備える照明装置と、照明装置からの第１の振動方向の偏光光を画像
信号に応じて変調する空間光変調装置と、を有し、偏光分離部で分離された第１の振動方
向の偏光光と、偏光変換部からの第１の振動方向の偏光光とは、空間光変調装置の入射面
に対して互いに異なる方向から入射することを特徴とするプロジェクタを提供することが
できる。照明光の偏光方向を揃えることによる照明効率の低下を低減することにより、明
るい画像を表示することが可能となる。これにより、明るい画像を表示することが可能な
プロジェクタを得られる。
【００１１】
また、本発明の好ましい態様としては、空間光変調装置は、画像信号に応じて第１の振
動方向の偏光光を第２の振動方向の偏光光に変換し、空間光変調装置から出射される第２
の振動方向の偏光光を特定の方向へ導き、空間光変調装置から出射される第１の振動方向
の偏光光を特定の方向とは異なる他の方向へ導くことが望ましい。空間光変調装置からの
第２の振動方向の偏光光は、画像の表示に用いる光として、特定の方向、例えば投写レン
ズの方向へ導かれる。空間光変調装置からの第１の振動方向の偏光光は、画像の表示に用
いられる光以外の光として、投写レンズの方向とは異なる他の方向へ導かれる。これによ
り、画像信号に応じた画像を表示することができる。
【００１２】
また、本発明の好ましい態様としては、偏光分離部は、第１の振動方向の偏光光を透過
し、第２の振動方向の偏光光を反射する第１反射型偏光板を備え、照明装置は、第１反射
型偏光板を透過した第１の振動方向の偏光光を反射する反射部を備え、偏光変換部及び空
間光変調装置を経た光が入射する位置に設けられ、第１の振動方向の偏光光を透過し、第
２の振動方向の偏光光を反射する第２反射型偏光板と、反射部及び空間光変調装置を経た
光が入射する位置に設けられ、第１の振動方向の偏光光を透過し、第２の振動方向の偏光
光を反射する第３反射型偏光板と、を有することが望ましい。空間光変調装置から第２反
射型偏光板へ入射した第２の振動方向の偏光光は、第２反射型偏光板で反射し、特定の方
向へ進行する。第２反射型偏光板を透過した第１の振動方向の偏光光は、第２反射型偏光
板を透過し、他の方向へ進行する。空間光変調装置から第３反射型偏光板へ入射した第２
の振動方向の偏光光は、第３反射型偏光板で反射し、特定の方向へ進行する。第３反射型
偏光板を透過した第１の振動方向の偏光光は、第３反射型偏光板を透過し、他の方向へ進
行する。これにより、空間光変調装置から出射される第２の振動方向の偏光光を特定の方
向へ導き、空間光変調装置から出射される第１の振動方向の偏光光を特定の方向とは異な
る他の方向へ導くことができる。
【００１３】
また、本発明の好ましい態様としては、照明装置は、第１反射型偏光板で分離された第
２の振動方向の偏光光を第１の振動方向の偏光光に変換する第１偏光変換部を備え、第２
反射型偏光板を反射した第２の振動方向の偏光光を第１の振動方向の偏光光に変換し、第
３反射型偏光板へ入射させる第２偏光変換部を有することが望ましい。第２反射型偏光板
で反射した第２の振動方向の偏光光は、第２偏光変換部で第１の振動方向の偏光光に変換
された後、第３反射型偏光板へ入射する。第３反射型偏光板へ入射した第１の振動方向の
偏光光は、第３反射型偏光板で反射した第２の振動方向の偏光光とともに特定の方向へ進
行する。これにより、第２反射型偏光板からの光と、第３反射型偏光板からの光とを、特
定の方向へ進行させることができる。
【発明を実施するための最良の形態】
【００１４】
以下に図面を参照して、本発明の実施例を詳細に説明する。
【実施例】
【００１５】
図１は、本発明の実施例に係るプロジェクタ１００の概略構成を示す。プロジェクタ１
００は、観察者側に設けられたスクリーン２４に光を供給し、スクリーン２４で反射する
光を観察することで画像を鑑賞する、いわゆるフロント投写型のプロジェクタである。プ
ロジェクタ１００は、赤色（Ｒ）光用照明装置１０Ｒと、緑色（Ｇ）光用照明装置１０Ｇ
と、青色（Ｂ）光用照明装置１０Ｂとを有する。
【００１６】
図２は、Ｒ光用照明装置１０Ｒ、及びＲ光について設けられる各部の概略構成を示す。
Ｒ光用照明装置１０ＲのＲ光用ＬＥＤ１１Ｒは、Ｒ光を供給する光源部である。Ｒ光用Ｌ
ＥＤ１１Ｒは、主にチップの表面から光を放出する面発光光源である。集光レンズ１２は
、Ｒ光用ＬＥＤ１１ＲからのＲ光をロッドインテグレータ１３の入射面近傍に集光させる
。ロッドインテグレータ１３は、直方体形状の透明な硝子部材を有する。ロッドインテグ
レータ１３に入射したＲ光は、硝子部材と空気との界面において全反射を繰り返しながら
ロッドインテグレータ１３の内部を進行する。これによりロッドインテグレータ１３は、
Ｒ光用ＬＥＤ１１ＲからのＲ光の強度分布を均一化させる。コリメータレンズ１４は、ロ
ッドインテグレータ１３で略均一にされたＲ光を平行化して第１反射型偏光板１５へ入射
させる。
【００１７】
第１反射型偏光板１５は、Ｒ光用ＬＥＤ１１ＲからのＲ光のうち第１の振動方向の偏光
光を透過し、第２の振動方向の偏光光を反射することにより、Ｒ光用ＬＥＤ１１Ｒからの
Ｒ光を第１の振動方向の偏光光と第２の振動方向の偏光光とに分離する偏光分離部である
。第１の振動方向の偏光光は、例えばｐ偏光光である。第２の振動方向の偏光光は、第１
の振動方向と略直交する振動方向の偏光光であって、例えばｓ偏光光である。第１反射型
偏光板１５としては、例えば、ワイヤグリッド型偏光板を用いることができる。
【００１８】
ワイヤグリッド型偏光板は、光学的に透明な硝子部材からなる基板の上に、金属、例え
ばアルミニウムで構成されるワイヤを格子状に設けた構成を用いることができる。ワイヤ
グリッド型偏光板は、振動方向がワイヤに略垂直である偏光光を透過し、振動方向がワイ
ヤに略平行である偏光光を反射する。ワイヤグリッド型偏光板を、特定の振動方向の偏光
光の振動方向に対してワイヤが略垂直となるように設けることにより、特定の振動方向の
偏光光のみを透過させることができる。偏光分離部には反射型偏光板を用いる場合に限ら
ず、例えば、偏光分離膜を有する偏光ビームスプリッタを用いることとしても良い。
【００１９】
第１反射型偏光板１５とＲ光用空間光変調装置１８Ｒとの間の光路中には、第１偏光変
換部１６が設けられている。第１偏光変換部１６は、第１反射型偏光板１５からの第２の
振動方向の偏光光であるｓ偏光光を第１の振動方向の偏光光であるｐ偏光光に変換する。
第１偏光変換部１６としては、例えばλ／２位相板を用いることができる。λ／２位相板
は、入射光の偏光方向を９０度回転させる。反射部１７は、第１反射型偏光板１５を透過
した光が入射する位置に設けられている。反射部１７は、第１反射型偏光板１５を透過し
た第１の振動方向の偏光光であるｐ偏光光をＲ光用空間光変調装置１８Ｒの方向へ反射す
る。
【００２０】
図２において、第１反射型偏光板１５は、Ｒ光用空間光変調装置１８Ｒの中心位置から
見て左側に配置されている。第１反射型偏光板１５及び第１偏光変換部１６を経た光は、
Ｒ光用空間光変調装置１８Ｒに対して左斜めの方向から入射する。また、反射部１７は、
Ｒ光用空間光変調装置１８Ｒの中心位置から見て右側に配置されている。反射部１７を経
た光は、Ｒ光用空間光変調装置１８Ｒに対して右斜めの方向から入射する。このように、
Ｒ光用照明装置１０Ｒは、第１反射型偏光板１５から反射部１７を経た光と、第１反射型
偏光板１５から第１偏光変換部１６を経た光とを、Ｒ光用空間光変調装置１８Ｒの入射面
に対して互いに異なる方向から入射させる。
【００２１】
図３は、Ｒ光用照明装置１０Ｒについて詳細に説明するものである。第１反射型偏光板
１５は、Ｒ光用ＬＥＤ１１Ｒの光軸ＡＸに沿って進行する光Ｌの入射角θ１が４５度より
大きくなるように配置されている。入射角θ１は、第１反射型偏光板１５の法線Ｎ１と光
Ｌとがなす角度である。また、反射部１７は、Ｒ光用ＬＥＤ１１Ｒの光軸ＡＸに沿って進
行する光Ｌの入射角θ２が４５度より小さくなるように配置されている。入射角θ２は、
反射部１７の法線Ｎ２と光Ｌとがなす角度である。このように、第１反射型偏光板１５及
び反射部１７は、第１反射型偏光板１５の法線Ｎ１、及び反射部１７の法線Ｎ２を含む平
面、即ち図３の紙面に略平行な平面において、互いに異なる傾きをなすように配置されて
いる。
【００２２】
第１反射型偏光板１５の入射角θ１を４５度以上とすることで、第１反射型偏光板１５
で反射する光Ｌは、第１反射型偏光板１５で９０度以上の角度変換を受ける。反射部１７
の入射角θ２を４５度以下とすることで、反射部１７で反射する光Ｌは、反射部１７で９
０度以下の角度変換を受ける。このようにして、第１反射型偏光板１５及び反射部１７を
経た光と、第１偏光変換部１６を経た光とをＲ光用空間光変調装置１８Ｒへ入射可能な構
成とすることができる。
【００２３】
図２に戻って、Ｒ光用空間光変調装置１８Ｒは、Ｒ光用照明装置１０Ｒの照明対象であ
って、Ｒ光を画像信号に応じて変調する透過型の液晶表示装置である。Ｒ光用空間光変調
装置１８Ｒは、画像信号に応じて、第１の振動方向の偏光光であるｐ偏光光を第２の振動
方向の偏光光であるｓ偏光光に変換する。第２反射型偏光板１９は、第１偏光変換部１６
及びＲ光用空間光変調装置１８Ｒを経た光が入射する位置に設けられている。第３反射型
偏光板２１は、反射部１７及びＲ光用空間光変調装置１８Ｒを経た光が入射する位置に設
けられている。第２反射型偏光板１９、第３反射型偏光板２１のいずれも、第１の振動方
向の偏光光であるｐ偏光光を透過し、第２の振動方向の偏光光であるｓ偏光光を反射する
。
【００２４】
第２反射型偏光板１９と第３反射型偏光板２１との間の光路中には、第２偏光変換部２
０が設けられている。第２偏光変換部２０は、第２反射型偏光板１９を反射した第２の振
動方向の偏光光であるｓ偏光光を第１の振動方向の偏光光であるｐ偏光光に変換し、第３
反射型偏光板２１へ入射させる。第２偏光変換部２０としては、例えばλ／２位相板を用
いることができる。図１に戻って、第３反射型偏光板２１からの光は、クロスダイクロイ
ックプリズム２２に入射する。
【００２５】
Ｇ光用照明装置１０ＧのＧ光用ＬＥＤ１１Ｇは、Ｇ光を供給する光源部である。Ｇ光用
空間光変調装置１８Ｇは、Ｇ光用照明装置１０Ｇの照明対象であって、Ｇ光を画像信号に
応じて変調する透過型の液晶表示装置である。Ｇ光用空間光変調装置１８Ｇは、画像信号
に応じて第１の振動方向の偏光光であるｐ偏光光を第２の振動方向の偏光光であるｓ偏光
光に変換する。Ｇ光用ＬＥＤ１１Ｇからクロスダイクロイックプリズム２２までの各部は
、Ｒ光用ＬＥＤ１１Ｒからクロスダイクロイックプリズム２２までの各部と同様に構成さ
れている。
【００２６】
Ｂ光用照明装置１０ＢのＢ光用ＬＥＤ１１Ｂは、Ｂ光を供給する光源部である。Ｂ光用
空間光変調装置１８Ｂは、Ｂ光用照明装置１０Ｂの照明対象であって、Ｂ光を画像信号に
応じて変調する透過型の液晶表示装置である。Ｂ光用空間光変調装置１８Ｂは、画像信号
に応じて第１の振動方向の偏光光であるｐ偏光光を第２の振動方向の偏光光であるｓ偏光
光に変換する。Ｂ光用ＬＥＤ１１Ｂからクロスダイクロイックプリズム２２までの各部は
、Ｂ光用ＬＥＤ１１Ｂからクロスダイクロイックプリズム２２までの各部と同様に構成さ
れている。
【００２７】
クロスダイクロイックプリズム２２は、互いに略直交するように配置された２つのダイ
クロイック膜２２ａ、２２ｂを有する。第１ダイクロイック膜２２ａは、Ｒ光を反射し、
Ｇ光及びＢ光を透過する。第２ダイクロイック膜２２ｂは、Ｂ光を反射し、Ｇ光及びＲ光
を透過する。このように、クロスダイクロイックプリズム２２は、各空間光変調装置１８
Ｒ、１８Ｇ、１８Ｂでそれぞれ変調されたＲ光、Ｇ光及びＢ光を合成する。投写レンズ２
３は、クロスダイクロイックプリズム２２で合成された光をスクリーン２４に投写する。
なお、本発明において照明装置とは、光源部からの光により空間光変調装置を照明するま
での光路中に設けられた各部を指すものとする。
【００２８】
図４は、Ｒ光用照明装置１０ＲからＲ光用空間光変調装置１８Ｒへ供給される光と、Ｒ
光用空間光変調装置１８Ｒから出射される光の振舞いを説明するものである。第１反射型
偏光板１５へ入射した光のうちｐ偏光光は、第１反射型偏光板１５を透過した後、反射部
１７へ入射する。反射部１７へ入射したｐ偏光光は、反射部１７で反射し、Ｒ光用空間光
変調装置１８Ｒの方向へ進行する。第１反射型偏光板１５へ入射した光のうちｓ偏光光は
、第１反射型偏光板１５で反射した後、第１偏光変換部１６へ入射する。第１偏光変換部
１６へ入射したｓ偏光光は、第１偏光変換部１６でｐ偏光光に変換された後、Ｒ光用空間
光変調装置１８Ｒへ入射する。
【００２９】
Ｒ光用空間光変調装置１８Ｒは、画像信号に応じてｐ偏光光をｓ偏光光に変換する。反
射部１７及びＲ光用空間光変調装置１８Ｒを経て第３反射型偏光板２１へ入射する光のう
ちｓ偏光光は、第３反射型偏光板２１で反射する。第３反射型偏光板２１で反射したｓ偏
光光は、クロスダイクロイックプリズム２２を経て、特定の方向である投写レンズ２３（
図１参照。）の方向へ進行する。第１偏光変換部１６及びＲ光用空間光変調装置１８Ｒを
経て第２反射型偏光板１９へ入射する光のうちｓ偏光光は、第２反射型偏光板１９で反射
する。第２反射型偏光板１９で反射したｓ偏光光は、第２偏光変換部２０へ入射する。第
２偏光変換部２０へ入射したｓ偏光光は、ｐ偏光光に変換された後、第３反射型偏光板２
１へ入射する。第３反射型偏光板２１へ入射したｐ偏光光は、第３反射型偏光板２１を透
過した後、クロスダイクロイックプリズム２２を経て投写レンズ２３の方向へ進行する。
このようにして、Ｒ光用空間光変調装置１８Ｒからのｓ偏光光は、画像の表示に用いる光
として、投写レンズ２３の方向へ導かれる。
【００３０】
図５は、Ｒ光用空間光変調装置１８Ｒから出射するｐ偏光光の振舞いを説明するもので
ある。反射部１７及びＲ光用空間光変調装置１８Ｒを経て第３反射型偏光板２１へ入射す
る光のうちｐ偏光光は、第３反射型偏光板２１を透過する。第３反射型偏光板２１を透過
したｐ偏光光は、投写レンズ２３の方向とは異なる他の方向へ進行する。第１偏光変換部
１６及びＲ光用空間光変調装置１８Ｒを経て第２反射型偏光板１９へ入射する光のうちｐ
偏光光は、第２反射型偏光板１９を透過する。第２反射型偏光板１９を透過したｐ偏光光
は、投写レンズ２３の方向とは異なる他の方向へ進行する。
【００３１】
このようにして、Ｒ光用空間光変調装置１８Ｒからのｐ偏光光は、画像の表示に用いる
光以外の光であるとして、投写レンズ２３の方向とは異なる他の方向へ導かれる。以上に
よりプロジェクタ１００は、画像信号に応じた画像を形成することができる。なお、プロ
ジェクタ１００は、第２反射型偏光板１９を透過したｐ偏光光や、第３反射型偏光板２１
を透過したｐ偏光光を吸収可能な構成としても良い。これにより、迷光の発生を低減する
ことが可能となる。
【００３２】
本発明によると、偏光分離部の入射側にて光を集光させる必要が無いため、大きな発光
領域を備える光源部を用いる場合であっても、照明光の偏光方向を揃えることによる照明
効率の低下を低減することが可能となる。これにより、照明光の偏光方向を揃えることに
よる照明効率の低下を低減することができるという効果を奏する。照明光の偏光方向を揃
えることによる照明効率の低下を低減することにより、明るい画像を表示することが可能
となる。これにより、明るい画像を表示することができるという効果を奏する。なお、プ
ロジェクタ１００は、画像信号に応じてｓ偏光光をｐ偏光光に変換する空間光変調装置を
用いることとしても良い。この場合、照明装置は、空間光変調装置へｓ偏光光を供給する
構成とすることができる。また、プロジェクタ１００は、空間光変調装置からのｐ偏光光
を投写レンズの方向へ導き、ｓ偏光光を他の方向へ導く構成とすることができる。
【００３３】
なお、実施例では光源部としてＬＥＤを用いることとしているが、これに限られない。
光源部としては、ＬＥＤに代えて、例えばＥＬ素子や半導体レーザ等の他の固体発光素子
を用いても良い。また、光源部は固体発光素子に限らず、固体発光素子以外の発光体、例
えば、超高圧水銀ランプ等のランプを用いても良い。プロジェクタは、３つの透過型液晶
表示装置を用いる構成に限らず、例えば、１つの透過型液晶表示装置や反射型液晶表示装
置を用いる構成、微小ミラーアレイデバイスを用いる構成としても良い。プロジェクタは
、フロント投写型のプロジェクタに限られず、スクリーンの一方の面にレーザ光を供給し
、スクリーンの他方の面から出射される光を観察することで画像を鑑賞する、いわゆるリ
アプロジェクタであっても良い。
【産業上の利用可能性】
【００３４】
以上のように、本発明に係る照明装置は、プロジェクタの照明装置として用いる場合に
有用であり、特に、特定の振動方向の偏光光を変調するプロジェクタに適している。
【図面の簡単な説明】
【００３５】
【図１】本発明の実施例に係るプロジェクタの概略構成を示す図。
【図２】Ｒ光用照明装置、及びＲ光について設けられる各部の概略構成を示す図。
【図３】Ｒ光用照明装置について詳細に説明する図。
【図４】Ｒ光用空間光変調装置へ供給される光の振舞い等を説明する図。
【図５】Ｒ光用空間光変調装置から出射するｐ偏光光の振舞いを説明する図。
【符号の説明】
【００３６】
１００  プロジェクタ、１０Ｒ  Ｒ光用照明装置、１０Ｇ  Ｇ光用照明装置、１０Ｂ  
Ｂ光用照明装置、１１Ｒ  Ｒ光用ＬＥＤ、１１Ｇ  Ｇ光用ＬＥＤ、１１Ｂ  Ｂ光用ＬＥＤ
、１２  集光レンズ、１３  ロッドインテグレータ、１４  コリメータレンズ、１５  第
１反射型偏光板、１６  第１偏光変換部、１７  反射部、１８Ｒ  Ｒ光用空間光変調装置
、１８Ｇ  Ｇ光用空間光変調装置、１８Ｂ  Ｂ光用空間光変調装置、１９  第２反射型偏
光板、２０  第２偏光変換部、２１  第３反射型偏光板、２２  クロスダイクロイックプ
リズム、２２ａ  第１ダイクロイック膜、２２ｂ  第２ダイクロイック膜、２３  投写レ
ンズ、２４  スクリーン、ＡＸ  光軸、Ｎ１、Ｎ２、Ｎ３  法線
【図１】
0004835160.tif 000002
【図２】
0004835160.tif 000003
【図３】
0004835160.tif 000004
【図４】
0004835160.tif 000005
【図５】
0004835160.tif 000006